(57)【特許請求の範囲】
【請求項１】
シャッタボタンを含む撮影機構を備えたユニット本体と、露光開口を形成する暗箱の前面に被写体光入射用開口とデータ写し込み光入射用開口とが独立して設けられ、被写体光入射用開口を開閉する撮影シャッタ部とデータ写し込み光入射用開口を開閉するデータシャッタ部とが一体に形成されたシャッタ羽根とを備えたレンズ付きフイルムユニットにおいて、
前記シャッタ羽根と独立して設けられ、シャッタボタンのレリーズ操作に応答して、データ写し込み光の光路上に挿入される挿入位置から前記光路上より退避する退避位置へ移動するシャッタ部材を設けたことを特徴とするレンズ付きフイルムユニット。
【請求項２】
前記シャッタ部材は、前記データシャッタ部がデータ写し込み光入射用開口を開放する前に前記光路上から退避することを特徴とする請求項１記載のレンズ付きフイルムユニット。
【請求項３】
前記シャッタ部材を回動自在に取り付けられた板状のバネ部材で構成し、シャッタ部材の回動経路上にシャッタ部材の回動を規制する回動規制部材を設けるとともに、この回動規制部材により前記シャッタボタンのレリーズ操作に連動してシャッタ部材の一端が押圧されるとシャッタ部材の回動が規制され、この規制によりシャッタ部材は弾性変形して他端が前記光路上から退避するとともに前記挿入位置に付勢されることを特徴とする請求項１または２記載のレンズ付きフイルムユニット。
【発明の詳細な説明】
【０００１】
【発明の属する技術分野】
本発明は、データ表示手段に表示された日付等の表示データを写真フィルムに光学的に写し込むデータ写し込み装置を有するレンズ付きフイルムユニットに関するものである。
【０００２】
【従来の技術】
予めフイルムが製造時に装填され、簡単な撮影機構を有するレンズ付きフイルムユニット（以下フイルムユニットという。）が本出願人から製造、販売されている。フイルムユニットには様々な種類のものが販売されており、又各種の機構を有するものが提案されている。
【０００３】
その１つとして、例えば、液晶などのデータ表示手段に表示された撮影年月日などの表示データを、フイルムに光学的に写し込むデータ写し込み装置を内蔵したものが提案されている。これによれば、撮影用のシャッタ羽根にデータ写し込み専用のシャッタ部材を一体に形成し、このシャッタ部材がデータ写し込み光の光路を開放することにより写真フイルムへのデータ写し込みができる。
【０００４】
【発明が解決しようとする課題】
しかしながら、フイルムユニットを落下させるなどして衝撃や振動を与えてしまうと、上記シャッタ羽根が動いてしまい、データ写し込み光の光路が開放されてしまう。これにより、データ写し込み装置が作動してしまい、写真フイルムに誤った表示データが写しこまれてしまうという問題が発生する。
【０００５】
本発明は、上記課題を解決するためのものであり、落下や振動によるデータ写し込み装置の誤作動を防止できるようにしたレンズ付きフイルムユニットを提供することを目的とする。
【０００６】
【課題を解決するための手段】
上記目的を達成するために、本発明のレンズ付きフイルムユニットは、シャッタボタンを含む撮影機構を備えたユニット本体と、露光開口を形成する暗箱の前面に被写体光入射用開口とデータ写し込み光入射用開口とが独立して設けられ、被写体光入射用開口を開閉する撮影シャッタ部とデータ写し込み光入射用開口を開閉するデータシャッタ部とが一体に形成されたシャッタ羽根とを備えたレンズ付きフイルムユニットにおいて、前記シャッタ羽根と独立して設けられ、シャッタボタンのレリーズ操作に応答して、データ写し込み光の光路上に挿入される挿入位置から前記光路上より退避する退避位置へ移動するシャッタ部材を設けたものである。なお、前記シャッタ部材は、前記データシャッタ部がデータ写し込み光入射用開口を開放する前に前記光路上から退避することが好ましい。また、前記シャッタ部材を回動自在に取り付けられた板状のバネ部材で構成し、シャッタ部材の回動経路上にシャッタ部材の回動を規制する回動規制部材を設けるとともに、この回動規制部材により前記シャッタボタンのレリーズ操作に連動してシャッタ部材の一端が押圧されるとシャッタ部材の回動が規制され、この規制によりシャッタ部材は弾性変形して他端が前記光路上から退避するとともに前記挿入位置に付勢されることが好ましい。
【０００７】
【発明の実施の形態】
本発明のレンズ付きフイルムユニット１の外観を図１，内部構造の概略を図２及び図３に示す。ユニット本体２は、本体基部３の前面及び背面を前カバー４、後カバー５で覆ったもので、本体基部３中央に形成された露光ユニット６、その横にストロボ装置７が組み付けられる。
【０００８】
この露光ユニット６及びストロボ装置７を挟むようにカートリッジ収納室８とフィルム収納室９とが一体に形成されている。これらの収納室には、レンズ付きフイルムユニット１の製造工程でカートリッジ１０と、このカートリッジ１０からフイルム１１が引き出され、このフイルム１１をロール形態にまとめたフイルムロール１１ａとがそれぞれフイルムユニット製造時点で予め組み込まれる。
【０００９】
前カバー４からは、撮影レンズ１２，ファインダレンズ１３，ストロボ発光部１４，ストロボ選択つまみ１５ａが露呈されている。また、前カバー４には、採光窓１６が形成されており、導光部材１７の一部がこの採光窓１６から露呈している。採光窓１６下部には、後述するデータ写し込みモジュール３８のＯＮ／ＯＦＦを切り替える切替つまみ４４ａが露呈され、上下にスライド自在に取り付けられている。
【００１０】
導光部材１７は、蛍光染料を混入させたプラスチックで形成され、外光及びストロボ発光部１４からのストロボ光の一部をデータ写し込み光として取り込む。このため、導光部材１７は、採光窓１６を通して被写体側に向けられた外光採光面１７ａと、ストロボ発光部１４の下方の一部にストロボ光採光面１７ｂとを備えている。
【００１１】
なお、上記導光部材１７は、外光採光部１７ａから入射した外光を照射部１７ｃに導く外光導光部材と、ストロボ光採光部１７ｂから入射したストロボ光を照射部１７ｃに導くストロボ光導光部材とを一体化した射出成形品として作られているが、照射部１７ｃを共通にする形態であれば、外光導光部材とストロボ光導光部材とを別体にしてもよい。
【００１２】
ユニット本体２の上面には、シャッタボタン２３，フイルムカウンタ２４及び、ストロボの充電完了を表示するライトガイド２５が露呈されている。後カバー５にはファインダ接眼窓２６が形成され、さらにカートリッジ収納室８，フイルム収納室１１の底部開口を光密に覆う底蓋２７，２８が一体に形成されている。底蓋２７は、撮影済みのフイルム１１が巻き込まれたフイルムカートリッジ１０を取り出すときに開放される。また、ユニット本体２の表面を覆うように、ラベルシール２９が貼り付けられる。ラベルシール２９は本体保護機能を有する他、外観を綺麗にするために用いられ、ラベルシール２９の所要部には撮影操作に必要な部位を表面に露呈させるための開口が設けられている。
【００１３】
カートリッジ収納室８の上部には、巻上げノブ３１が設けられ、その下面に一体に形成された巻上げ軸がフイルムカートリッジ１０のスプールに係合する。撮影ごとに巻上げノブ３１を回動操作することによって、撮影済みのフイルムは１コマ分ずつフイルムカートリッジ１０に巻き込まれる。このフイルム１コマ巻上げに連動して露光ユニット６に組み込まれたシャッタ機構が次回の撮影のためにチャージされ、またフイルム１コマ給送が完了すると露光ユニット６に組み込まれたロックレバーによって巻上げノブ３１の回動がロックされる。
【００１４】
本体基部３に形成されたアパーチャ（図示せず）は、撮影位置に送られてきた写真フイルムの前面で１コマ分の露光範囲を制限する。アパーチャの前方には角筒状に突出した暗箱部３２が一体に形成され、その前面にはシャッタ開口３２ａが形成されている。
【００１５】
露光ユニット６は、暗箱部３２をベースにして撮影レンズ１２，シャッタ羽根３３，バネ３４を含むシャッタ機構，シャッタチャージ機構，フイルム巻き止め機構，フイルムカウンタ２４を含むフイルムカウンタ機構、有害光遮光枠３５等を組み付けたもので、さらにファインダ１３を構成する対物及び接眼レンズを保持している。暗箱部３２の前面には、シャッタ開口３２ａの他、データ写し込み用開口３２ｂが形成され、それぞれシャッタ羽根３３に一体成形された撮影シャッタ部３３ａ及びデータシャッタ部３３ｂによって開閉される。
【００１６】
シャッタ羽根３３は、撮影レンズ１２を組み込んだシャッタカバー３７によって覆われ、その前面には撮影年月日を写し込むためのデータ写し込みモジュール３８が組み付けられる。データ写し込みモジュール３８は、時計回路及び液晶ドライバ等を含むＩＣチップ、時計回路からの計時信号によって現在の年月日を表示する液晶板３９及び、電池４１を備えている。また、前カバー４に電池用接片４２が取り付けられており、前カバー４が本体基部３に取り付けられると、電池用接片４２が押圧されて電池４１及び時計回路に接触し、データ写し込みモジュール３８へ給電が開始される。よって、データ写し込みモジュール３８の検査及び年月日のセットは前カバー４を本体基部３に取り付けた状態で行う必要がある。
【００１７】
有害光遮光枠３５は、撮影レンズ１２を通ってきた光のうち、アパーチャで画定された露光範囲の外に向かう有害光を遮断する。したがって、フイルム１１には露光範囲にだけ向かう被写体光だけで露光が行われ、フレアのない鮮明な画像が得られる。
【００１８】
データ写し込みモジュール３８の液晶板３９の前面には、導光部材１７の照射部１７ｃが位置し、導光部材１７の外光採光部１７ａから採光された外光と、ストロボ光採光部１７ｂから採光されたストロボ光が、導光部材１７内部の拡散、反射により、この照射部１７ｃに導かれ、液晶板３９に向かって照射されることによりデータ写し込み光となる。
【００１９】
これにより、撮影場所が明るく、外光の光量が多い場合には、外光採光部１７ａから採光される外光だけでも、データ写し込み光として十分な光量を得ることができる。他方、撮影場所が暗く、外光採光部１７ａから採光される外光の光量が少ない場合には、ストロボ発光により、ストロボ光採光部１７ｂからストロボ光の一部が採光されて十分な光量が確保される。
【００２０】
さらに、データ写し込みモジュール３８の前面にシャッタ部材４３及び切替スイッチ４４が設けられている。図４に示すように、シャッタ部材４３は突起部４３ａ，取り付け部４３ｂ，羽根部４３ｃ及びストッパー部４３ｄ，４３ｅから構成され、バネ性を持った薄い金属板で形成されている。取り付け部４３ｂはシャッタカバー３７に設けられた軸３７ａに取り付けられ、羽根部４３ｃがデータ写し込み光の光路上に挿入される位置と前記光路上から退避される位置との間で揺動自在とされている。
【００２１】
また、シャッタボタン２３に係止レバー４０が形成され、突起部４３ａが係止している。シャッタボタン２３が押圧されると、突起部４３ａが係止レバー４０に押圧され、シャッタ部材４３はデータ写し込み光の光路上から退避する退避位置に向けて時計方向に回動される。
【００２２】
また、シャッタカバー３７にストッパー部材３７ｂ，データ写し込みモジュール３８にストッパーピン３８ａが設けられている。シャッタ部材４３が時計方向に回動されると、羽根部４３ｃがデータ写し込み光の光路上から退避するとともにストッパー部４３ｅがストッパー部材３７ｂに当接して弾性変形するので、シャッタ部材４３は反時計方向に付勢される。また、このときストッパー部４３ｄがストッパーピン３８ａに当接するので取り付け部４３ｂが弾性変形しながら羽根部４３ｃはデータ写し込み光の光路上から退避する。シャッタボタン２３の押圧が解除されると、シャッタ部材４３はその復元力により、データ写し込み光の光路上に挿入される挿入位置に向けて復帰する。なお、シャッタ部材４３の復元力により突起部４３ａは係止レバー４０を図中左方向に押圧するため、前記復元力はシャッタボタン２３が元の位置に戻る際の補助力にもなる。
【００２３】
また、レンズ付きフイルムユニット１に振動や衝撃が与えられてもストッパー部４３ｅがストッパー部材３７ｂに当接するので、シャッタ部材４３が回動してしまうことがない。仮に、羽根部４３ｃがデータ写し込み光の光路上から退避してしまっても、ストッパー部４３ｄがストッパーピン３８ａに当接して、羽根部４３ｃはその反射力で即座に元の位置に復帰するので、フイルム１１への不用意なデータの写し込みが行われることがない。
【００２４】
また、シャッタレリーズが行われると、シャッタ部材４３がデータ写し込み光の光路を開放した後に、シャッタ羽根３３が図示しない蹴飛ばしレバーに蹴飛ばされて図中時計方向に回動する。これにより、データシャッター部３３ｂがデータ写し込み光の光路上から退避して、データ写し込み用開口３２ｂが開放され、データ写し込み光がフイルム１１に入射して、データ写し込みが行われる。シャッタ部材４３がデータ写し込み光の光路上から退避した後に、シャッタ羽根３３が回動してデータ写し込み光の光路を開放するので、フイルム１１にはデータ写し込み光が確実に入射してデータ写し込みが行われる。
【００２５】
切替スイッチ４４には切替つまみ４４ａとスイッチ窓４４ｂとが設けられている。切替つまみ４４ａは前カバー４から外部に露呈され、撮影者はこの切替つまみ４４ａを上方にセットするＯＮ位置と下方にセットするＯＦＦ位置との間で上下にスライド操作して、データ写し込みモジュール３８のＯＮ／ＯＦＦを切り替える。切替つまみ４４ａがＯＮ位置にセットされると、スイッチ窓４４ｂがデータ写し込み光の光路上に挿入され、液晶板３９へのデータ写し込み光の照射が可能になる。切替つまみ４４ａがＯＦＦ位置にセットされると、スイッチ窓４４ｂがデータ写し込み光の光路上から退避して、窓枠４４ｃにデータ写し込み光が遮られる。これにより、液晶板３９へのデータ写し込み光の照射が不可能になるので、データ写し込みが不可能になる。
【００２６】
ストロボ装置７は、ベースとなる回路基板４５に充電部を構成するコンデンサー、発振トランスなどの回路部品、及び電源電池４６，さらにストロボ発光部１４が組み付けられている。また、回路基板４５の前面側に突出したピンにより受け板４７が支持されている。この受け板４７は、ストロボ選択つまみ１５ａが一体に設けられたスイッチ板１５をスライド自在に保持している。
【００２７】
前カバー４に設けられたストロボ選択つまみ１５ａを上方にスライドさせるとスイッチ板１５が上昇して、スイッチ接片４９が接触し、ストロボ充電が開始される。また、スイッチ板１５を上昇させたときには、スイッチ板１５の上端に一体に設けたアームを介してライトガイド２５が上昇し、ユニット本体２から突出する。そして、充電が完了すると充電完了表示ランプが点灯し、ライトガイド２５の先端が明るく光って撮影者及び被撮影者に充電完了を表示する。回路基板４５に設けられたシンクロスイッチ４８はストロボ発光用のトリガ信号を得るためのもので、シャッタ羽根３３が開放したときにオンして放電管に印加してストロボ光を発光させる。
【００２８】
図５に本実施形態の結像光学係を概略的に示す。前述のとおり、露光ユニット６に設けられた暗箱部３２にはデータ写し込み用の開口３２ｂが形成され、これを覆うようにデータ写し込みモジュール３８の液晶板３９が位置している。そして、シャッタ羽根３３及びシャッタ部材４３の開閉により、照射部１７ｃから照射される光をデータを得る仕込み光として液晶板３９を通過するデータ光５５は、開口３２ｂ、有害光遮光枠３５に組み込まれたデータ写し込み用の結像レンズ５０を通過して、フイルム１１上の露光範囲５１内のデータ結像領域５２に結像される。同時に、撮影レンズ１２から絞り開口５３を通って入射する撮影光５４も、シャッタ羽根３３の開閉により、撮影用開口３２ａから暗箱部３２内へ入射し、有害光遮光枠３５内部を通過して、フイルム１１の露光範囲５１内に結像して撮影が行われる。
【００２９】
上記の実施形態の作用について説明する。図４（Ａ）に示すように、シャッタボタン２３が押下されていない状態では、ストッパー部材３７ｂが設けられているので、シャッタ部材４３が回動してしまうことがなく、仮に羽根部４３ｃがデータ写し込み光の光路上から退避してしまってもストッパー部４３ｄとストッパーピン３８ａとが当接して羽根部４３ｃはその反射力で即座に元の位置に復帰する。これにより、切替スイッチつまみ４４ａがＯＮ位置にセットされたまま、レンズ付きフイルムユニット１に衝撃や振動が与えられてシャッタ羽根３３が揺動してしまっても、シャッタ部材４３は液晶板３９を開放することがないので、写し込みデータモジュール３８が作動してフイルム１１への不用意なデータ写し込みが行われることがない。
【００３０】
日中や明るい室内など撮影場所が明るい場合での撮影で、さらに、データ写し込みを行うには、切替つまみ４４ａをＯＮ位置にセットする。そして、巻上げノブ３１を回動操作してフイルム１コマ送り及びシャッタチャージを行った後、シャッタボタン２３を押圧する。図４（Ｂ）に示すように、シャッタボタン２３が押圧されると、先ず、シャッタ部材４３が図中時計方向に回動され、ストッパー部材３７ｂとストッパーピン３８ａとの当接により弾性変形してデータ写し込み光の光路が開放される。これにより、前カバー４前面に露呈されている導光部材１７の外光採光部１７ａから採光された外光は、照射部１７ｃを通って液晶板３９に導光される。
【００３１】
この後、図４（Ｃ）に示すように、露光ユニット６に組み込まれたシャッタ機構が作動してシャッタ羽根３３が開閉し、液晶板３９を通過したデータ写し込み光がデータ写し込み開口３２ｂから入射する。また、撮影レンズ１２から入射する被写体からの撮影光がシャッタ開口３２ａから入射して１回の撮影が行われる。そして、シャッタボタン２３の押圧が解除されると、シャッタ羽根３３はシャッタ開口３２ａを閉鎖し、又シャッタ部材４３は、データ写し込み光の光路に挿入される。なお、このデータ写し込み光は、撮影場所が明るい場合には、外光採光部１７ａから多量の外光が採光されるため、データ写し込みに十分な光量が得られる。また、データ写し込みを行わない場合には、切替つまみ４４ａをオフ位置にセットすればよい。
【００３２】
また、撮影場所が暗い場合には、ストロボ撮影を行うのが通常である。ストロボ撮影を行う場合には、ストロボ選択つまみ１５ａを上方にスライド操作して、ストロボ充電を開始させる。撮影者は、充電完了をライトガイド２５で確認して、シャッタボタン２３を押圧する。これにより、上記と同様にシャッタ羽根３３及びストッパー部材４３が開閉して、暗箱部３２内に撮影光及びデータ写し込み光が入射する。また、シャッタ羽根３３が開放した瞬間にシンクロスイッチ４８が瞬間的にオンしてストロボ回路にトリガ信号が送られ、これが放電管に印加されてストロボ発光が行われる。
【００３３】
なお、ストロボ撮影の際には、外光は外光採光部１７ａから照射部１７ｃに導光される。他方、ストロボ光採光部１７ｂに照射されたストロボ光も照射部１７ｃに導光される。これらの光がともにデータ写し込み光となる。
【００３４】
以上のような操作の繰り返しによりユニット本体２内に収納されたフイルム１１の全てに撮影が行われる。フィルム１１の全てのコマに撮影が終了したレンズ付きフイルムユニット１は、現像取扱店で同時プリントが受け付けられ、現像所に回収されて現像，プリント処理が行われる。現像済みのフイルム１１とプリント写真とはユーザーに返却され、レンズ付きフイルムユニット１は現像所から回収されてリサイクルされる。
【００３５】
なお、上記実施形態では、シャッタ部材４３をバネ性を持った薄い金属板で形成したが、プラスチック等で形成してもよい。また、シャッタボタン２３とシャッタ部材４３とを一体に形成してもよい。
【００３６】
【発明の効果】
以上のように、本発明のレンズ付きフイルムユニットによれば、シャッタ羽根と独立して設けられ、シャッタボタンのレリーズ操作に応答して、データ写し込み光の光路上に挿入される挿入位置から前記光路上より退避する退避位置へ移動するシャッタ部材を設けたので、レンズ付きフイルムユニットに強い振動や衝撃が与えられても、不用意にデータ写し込み装置が作動することはない。
【００３７】
また、前記シャッタ部材は、前記データシャッタ部がデータ写し込み光入射用開口を開放する前に前記光路上から退避するので、確実にデータ写し込みを行うことができる。
【００３８】
前記シャッタ部材を回動自在に取り付けられた板状のバネ部材で構成し、シャッタ部材の回動経路上にシャッタ部材の回動を規制する回動規制部材を設けるとともに、この回動規制部材により前記シャッタボタンのレリーズ操作に連動してシャッタ部材の一端が押圧されるとシャッタ部材の回動が規制され、この規制によりシャッタ部材は弾性変形して他端が前記光路上から退避するとともに前記挿入位置に付勢されるので、簡単な構成でシャッタボタンとシャッタ部材とを連動させることができ、レンズ付きフイルムユニットへの振動や衝撃によるシャッタ部材の回動を防止できる。
【図面の簡単な説明】
【図１】本発明を実施したレンズ付きフイルムユニットの外観斜視図である。
【図２】レンズ付きフイルムユニットの分解斜視図である。
【図３】レンズ付きフイルムユニットのデータ写し込み装置の要部を示す斜視図である。
【図４】シャッタ部材の動作を示す説明図である。
【図５】レンズ付きフイルムユニットの結像光学系の要部を示す斜視図である。
【符号の説明】
１  レンズ付きフイルムユニット
２  ユニット本体
２３  シャッタボタン
３３  シャッタ羽根
３３ａ  撮影シャッタ部
３３ｂ  データシャッタ部
３７ｂ  ストッパー部材
３８  データ写し込みモジュール
３８ａ  ストッパーピン
４０  係止レバー
４３  シャッタ部材
【図１】
0003850011.tif 000002
【図２】
0003850011.tif 000003
【図３】
0003850011.tif 000004
【図４】
0003850011.tif 000005
【図５】
0003850011.tif 000006